(57)【要約】  燃焼器の上流にある圧縮器、および燃焼器の下流にあるタービンを有するガスタービンエンジン用の燃焼器。また、燃焼器は、燃焼器チャンバーと、燃焼器チャンバーの端部において中央に位置決めされたオキシ燃料パイロットバーナー（１０４）と、空気および燃料を少なくとも部分的に予混合するように構成された空気燃料予混合バーナーとを含む。空気燃料予混合バーナーは、環状構成でオキシ燃料パイロットバーナー（１０４）を取り囲む。【選択図】図６
2021524011.tif 000002
【特許請求の範囲】
【請求項１】
燃焼器の上流にある圧縮器、および前記燃焼器の下流にあるタービンを含むガスタービンエンジン用の燃焼器であって、
燃焼器チャンバーと、
前記燃焼器チャンバーの端部において中央に位置決めされたオキシ燃料パイロットバーナーと、
空気および燃料を少なくとも部分的に予混合するように構成された空気燃料予混合バーナーであって、環状構成で前記オキシ燃料パイロットバーナーを取り囲んでいる空気燃料予混合バーナーと、を備える、燃焼器。
【請求項２】
前記オキシ燃料パイロットバーナーは、
出口端部を有する中央燃料ノズルと、
前記燃料ノズルを取り囲んでいる環状酸素ノズルと、を備える、請求項１に記載の燃焼器。
【請求項３】
前記オキシ燃料パイロットバーナーは、
前記中央燃料ノズルおよび前記環状酸素ノズルからのフローを受け取るように位置決めされたパイロットバーナーノズルをさらに備え、前記パイロットバーナーノズルはスロートを有し、前記中央燃料ノズルの出口端部は、前記スロートの上流に配置されている、請求項２に記載の燃焼器。
【請求項４】
前記オキシ燃料パイロットバーナーは、
スロートを有するパイロットバーナーノズルと、
第１の反応物を流すように構成された中央ノズルであって、前記スロートの上流に配置された出口端部を有する、中央ノズルと、
第２の反応物を流すように構成された環状ノズルと、を備え、
前記第１および第２の反応物の一方は燃料であり、前記第１および第２の反応物の他方は酸化剤である、請求項１に記載の燃焼器。
【請求項５】
前記中央燃料ノズルは、局所な音速において燃料を放出するように構成された収束ノズルを備える、請求項２に記載の燃焼器。
【請求項６】
前記パイロットバーナーノズルは、前記スロートにおいて終端する収束ノズルであり、前記局所的な音速においてオキシ燃料火炎を放出するように構成されている、請求項３または請求項４に記載の燃焼器。
【請求項７】
前記中央燃料ノズルは、前記局所的な音速よりも速く燃料を放出するように構成された収束発散ノズルを備える、請求項２に記載の燃焼器。
【請求項８】
前記パイロットバーナーノズルは、前記局所的な音速よりも速くオキシ燃料火炎を放出するように構成された収束発散ノズルである、請求項３または請求項４に記載の燃焼器。
【請求項９】
前記空気燃料予混合バーナーは、環状構成で複数の空気燃料予混合ノズルを備える、請求項１に記載の燃焼器。
【請求項１０】
前記空気燃料予混合バーナーは、空気環状部により取り囲まれた複数の燃料噴射器を備える、請求項１に記載の燃焼器。
【請求項１１】
ガスタービンエンジンであって、
前記ガスタービンエンジンに引き込まれた空気を圧縮する空気圧縮器と、
前記空気圧縮器の下流に位置決めされ、前記空気圧縮器により提供された圧縮空気とともに燃料を燃焼し、高圧燃焼ガスを生成するように構成された、請求項１〜１０のいずれか一項に記載の燃焼器と、
前記圧縮器と前記燃焼器との間に位置決めされ、前記圧縮器により提供された前記圧縮空気に熱を供給するように構成された一次熱交換器と、
熱源と、
前記一次熱交換器と前記熱源との間で熱伝達流体を運び、前記圧縮空気が前記燃焼器に入る前に前記熱源から前記圧縮空気に熱を伝達する熱伝達流体ループと、を備える、ガスタービンエンジン。
【請求項１２】
前記熱源は、前記タービンの下流に位置決めされ、タービン排気ガスから熱を抽出するように構成された二次熱交換器であり、
前記熱伝達流体ループは、前記一次熱交換器と前記二次熱交換器との間で熱伝達流体を運び、前記圧縮空気が前記燃焼器に入る前に、前記タービン排気ガスストリームから前記圧縮空気に熱を伝達するように構成されている、請求項１１に記載のガスタービンエンジン。
【請求項１３】
前記熱源は、炉内プロセスまたは燃焼プロセスからの廃熱源を含む、請求項１１に記載のガスタービンエンジン。
【請求項１４】
請求項１〜１０のいずれか一項に記載のガスタービンエンジン用の燃焼器を動作させる方法であって、
化学量論的燃焼に必要とされるものよりも低い酸素対燃料モル比において、前記オキシ燃料パイロットバーナーに燃料および酸素を流すことを含む、方法。
【請求項１５】
化学量論的燃焼に必要なものの３０％〜６０％の酸素対燃料モル比において、前記オキシ燃料パイロットバーナーを動作させることをさらに含む、請求項１４に記載の方法。
【請求項１６】
前記オキシ燃料パイロットバーナーに流れる前記燃料、および前記空気燃料予混合バーナーに流れる前記燃料の合計として、前記燃焼器への総燃料フローを計算することと、
前記オキシ燃料パイロットバーナーに流れる前記燃料が、前記燃焼器への総燃料フローの１０％以下となるように、前記オキシ燃料パイロットバーナーに流れる前記燃料、および前記空気燃料予混合バーナーに流れる前記燃料のうちの１つ以上を制御することと、をさらに含む、請求項１４に記載の方法。
【請求項１７】
前記オキシ燃料パイロットバーナーに流れる前記燃料が、前記燃焼器への前記総燃料フローの６％以下となるように、前記オキシ燃料パイロットバーナーに流れる前記燃料、および前記空気燃料予混合バーナーに流れる前記燃料のうちの１つ以上を制御すること、をさらに含む、請求項１４に記載の方法。
【発明の詳細な説明】
【技術分野】
【０００１】
関連出願の相互参照
本出願は、２０１８年５月１５日に出願された米国仮特許出願第６２／６７１，８６１号から優先権を主張し、その出願は参照により全体として本明細書に組み込まれる。
【背景技術】
【０００２】
本発明者が知る限り、ガスタービン燃焼器における酸素使用についての先行技術文献は、酸素を含む燃焼空気のバルク濃縮を排他的に考慮している。しかしながら、ガスタービンエンジンにおいて燃焼安定性を著しく向上させるために必要な燃焼空気のバルク酸素濃縮量は、ａ）実際のタービンエンジン動作に対して費用対効果の高い選択肢ではなく、ｂ）ＮＯｘ排出量の増加をもたらす。加えて、燃焼器は典型的には、燃料リーン条件において稼働し、したがって、酸化剤ストリーム中にすでに余分な酸素が存在する。
【０００３】
図１に例示した産業用発電に通常使用されるガスタービンエンジンの基本構成は、圧縮器により特徴付けられる低温セクションを備え、続いて燃焼器セクションおよびタービンにより特徴付けられる高温セクションを備える。低温セクションは、空気取り込み口を含み、任意選択的に周囲に離間させた入口ガイドベーンの組を含み、続いて燃焼器セクションに高圧空気を送出する多段階軸流圧縮器を含む。燃焼器セクションの下流にあるタービンは、圧縮器を駆動するシャフトを介して電力を提供する。タービンの動作圧力比は、圧縮器取り込み口における空気の圧力に対する圧縮器出口における空気の圧力として定義され、通常、約１８：１未満である。
【０００４】
燃焼器の設計は、製造業者、サイズ、および用途に基づいてさまざまであるが、多くの、特に多缶型（図２に示すように）および缶環状型（図３に示すように）のものは、タービンシャフトの周りに円周状に配設された円筒チューブまたは「缶」のアレイを介して燃焼を実行する。これらの２つの燃焼器構成の主な違いは、多缶型燃焼器では、各缶の空気取り込み口が圧縮器の対応する出口ポートに機械的に結合されるが、缶環状型燃焼器では、各缶の空気取り込み口が圧縮器出口に接続された共通の単一環状部に対して開いていることである。いずれの場合も、燃焼生成物は各缶から遷移ダクトを通じて放出され、それらは続いて３６０°の円弧の周りに分散させ、軸流タービンセクションの第１段階に入る。
【０００５】
個々の缶燃焼器は典型的には、環状構成における缶燃焼器の入口面の周りに配設した１つ以上の空気燃料ノズルにより供給される燃焼器チャンバーを有する。空気燃料ノズルは、通常ある程度の予混合を行った空気および燃料を燃焼器チャンバーに導入する。多くの場合、空気燃料パイロットバーナーが燃焼器軸に沿って追加的に配設されている。空気燃料パイロットバーナーは、燃焼安定性を向上させるために利用され、予混合設計またはノズル混合（すなわち、拡散または非予混合）設計のいずれかであってもよい。予混合ノズルおよびパイロットバーナーの組み合わせは、本明細書ではガスタービンバーナーとしてまとめて表され、各缶燃焼器はそれ自体のガスタービンバーナーを含む。
【０００６】
図４および５はそれぞれ、マルチノズル構成および環状ノズル構成用のガスタービンバーナー入口面の概略図を提供し、それぞれ中央空気燃料パイロットバーナーを使用する。図４のようなガスタービンバーナー５００において、複数の別個の予混合ノズル５０２は、中央空気燃料パイロットバーナー５０４の周りに環状構成で配列され、各予混合ノズルは、対応する空気ストリームに放出する燃料噴射器を有する。図５に示すようなガスタービンバーナー５１０では、環状ノズル５１２は、中央空気燃料パイロットバーナー５１４の周りの空気環状部５１８により取り囲まれた環状構成で配置された１つ以上の燃料噴射器５１６を含む。
【発明の概要】
【課題を解決するための手段】
【０００７】
態様１．燃焼器の上流にある圧縮器、および燃焼器の下流にあるタービンを含むガスタービンエンジン用の燃焼器であって、燃焼器チャンバーと、燃焼器チャンバーの端部において中央に位置決めされたオキシ燃料パイロットバーナーと、空気および燃料を少なくとも部分的に予混合するように構成された空気燃料予混合バーナーであって、環状構成でオキシ燃料パイロットバーナーを取り囲んでいる空気燃料予混合バーナーと、を備える、燃焼器。
【０００８】
態様２．オキシ燃料パイロットバーナーは、出口端部を有する中央燃料ノズルと、燃料ノズルを取り囲む環状酸素ノズルと、を備える、態様１に記載の燃焼器。
【０００９】
態様３．オキシ燃料パイロットバーナーは、中央燃料ノズルおよび環状酸素ノズルからのフローを受け取るように位置決めされたパイロットバーナーノズルをさらに備え、前記パイロットバーナーノズルはスロートを有し、中央燃料ノズルの出口端はスロートの上流に配置されている、態様２に記載の燃焼器。
【００１０】
態様４．オキシ燃料パイロットバーナーは、スロートを有するパイロットバーナーノズルと、第１の反応物を流すように構成された中央ノズルであって、スロートの上流に配置された出口端部を有する中央ノズルと、第２の反応物を流すように構成された環状ノズルとを備え、前記第１および第２の反応物の一方は燃料であり、前記第１および第２の反応物の他方は酸化剤である、態様１〜４のいずれか一項に記載の燃焼器。
【００１１】
態様５．中央燃料ノズルは、局所的な音速において燃料を放出するように構成された収束ノズルを備える、態様２〜４のいずれか一項に記載の燃焼器。
【００１２】
態様６．パイロットバーナーノズルは、スロートにおいて終端する収束ノズルであり、局所的な音速においてオキシ燃料火炎を放出するように構成されている、態様３または態様４に記載の燃焼器。
【００１３】
態様７．中央燃料ノズルは、局所的な音速よりも速く燃料を放出するように構成された収束発散ノズルを備える、態様２〜４のいずれか一項に記載の燃焼器。
【００１４】
態様８．パイロットバーナーノズルは、局所的な音速よりも速くオキシ燃料火炎を放出するように構成された収束発散ノズルである、態様３または態様４に記載の燃焼器。
【００１５】
態様９．空気燃料予混合バーナーは、環状構成で複数の空気燃料予混合ノズルを備える、態様１〜８のいずれか一項に記載の燃焼器。
【００１６】
態様１０．空気燃料予混合バーナーは、複数の燃料噴射器を備え、それぞれが空気環状部により取り囲まれている、態様１〜８のいずれか一項に記載の燃焼器。
【００１７】
態様１１．ガスタービンエンジンに引き込まれた空気を圧縮する空気圧縮器と、空気圧縮器の下流に位置決めされ、空気圧縮器により提供された圧縮空気とともに燃料を燃焼し、高圧燃焼ガスを生成するように構成された態様１〜１０のいずれか一項の燃焼器と、圧縮器と燃焼の間に位置決めされ、圧縮器により提供された圧縮空気に熱を供給するように構成された一次熱交換器と、熱源と、一次熱交換器と熱源との間で熱伝達流体を運び、圧縮空気が燃焼器に入る前に熱源から圧縮空気に熱を伝達する熱伝達流体ループと、を備える、ガスタービンエンジン。
【００１８】
態様１２．熱源は、タービンの下流に位置決めされ、タービン排気ガスから熱を抽出するように構成された二次熱交換器であり、熱伝達流体ループは、一次熱交換器と二次熱交換器との間で熱伝達流体を運び、圧縮空気が燃焼器に入る前に、タービン排気ガスストリームから圧縮空気に熱を伝達するように構成されている、態様１１に記載のガスタービンエンジン。
【００１９】
態様１３．熱源は、炉内プロセスまたは燃焼プロセスからの廃熱源を含む、態様１１に記載のガスタービンエンジン。
【００２０】
態様１４．化学量論的燃焼に必要とされるものよりも低い酸素対燃料モル比において、オキシ燃料パイロットバーナーに燃料および酸素を流すことを含む、態様１〜１０のいずれか一項に記載のガスタービンエンジン用の燃焼器の動作方法。
【００２１】
態様１５．化学量論的燃焼に必要なものの３０％〜６０％の酸素対燃料モル比において、オキシ燃料パイロットバーナーを動作させることをさらに含む、態様１４に記載の方法。
【００２２】
態様１６．オキシ燃料パイロットバーナーに流れる燃料、および空気燃料予混合バーナーに流れる燃料の合計として、燃焼器への総燃料フローを計算することと、オキシ燃料パイロットバーナーに流れる燃料が、燃焼器への総燃料フローの１０％以下となるように、オキシ燃料パイロットバーナーに流れる燃料、および空気燃料パイロットバーナーに流れる燃料のうちの１つ以上を制御することと、をさらに含む、態様１４または態様１５に記載の方法。
【００２３】
態様１７．オキシ燃料パイロットバーナーに流れる燃料が、燃焼器への総燃料フローの６％以下となるように、オキシ燃料パイロットバーナーに流れる燃料、および空気燃料予混合バーナーに流れる燃料のうちの１つ以上を制御することをさらに含む、態様１４〜１６のいずれか一項に記載の方法。
【００２４】
態様１８．空気燃料予混合バーナーに燃料および空気を流すことと、燃焼器の酸素濃縮レベルを計算することと、酸素濃縮レベルを０．５％以下に制御することと、をさらに含み、総酸化剤フローは、オキシ燃料パイロットバーナーへの酸素の流量、および空気燃料予混合バーナーへの空気の流量の合計として定義され、酸素濃縮レベルは、（総酸化剤フロー内の酸素分子の量）／（総酸化剤フロー）−（空気燃料予混合バーナーに流れる空気中の酸素分子の濃度）として定義される、態様１４に記載の方法。
【００２５】
態様１９．酸素濃縮レベルを０．３％以下に制御することをさらに含む、態様１８に記載の方法。
【００２６】
態様２０．ガスタービンエンジンに引き込まれた空気を圧縮する空気圧縮器と、空気圧縮器の下流に位置決めされ、空気圧縮器により提供される圧縮空気とともに燃料を燃焼し、高圧燃焼ガスを生成するように構成される態様１〜１０のいずれか一項の燃焼器と、燃料器の下流にあり、高圧燃焼ガスから電力を生成するタービンと、を備え、タービン全体の圧力比が約２０：１以上であり、燃焼器は、燃焼器チャンバーと、燃焼器チャンバーの端部に位置決めされたオキシ燃料パイロットバーナーと、環状構成でオキシ燃料パイロットバーナーを取り囲んでいる空気燃料予混合バーナーと、を備える、ガスタービンエンジン。
【００２７】
態様２１．オキシ燃料パイロットバーナーは、中央燃料ノズルと、燃料ノズルを取り囲む環状酸素ノズルと、を備える、態様２０に記載のガスタービンエンジン。
【００２８】
態様２２．中央燃料ノズルは、局所的な音速において燃料を送出するように構成された収束ノズルを備える、態様２１に記載のガスタービンエンジン。
【００２９】
態様２３．中央燃料ノズルは、局所的な音速よりも速く燃料を送出するように構成された収束発散ノズルを備える、態様２１に記載のガスタービンエンジン。
【００３０】
態様２４．空気燃料予混合バーナーは、環状構成で複数の空気燃料予混合ノズルを備える、態様２０に記載のガスタービンエンジン。
【００３１】
態様２５．空気燃料予混合バーナーは、空気環状部により取り囲まれた複数の燃料噴射器を備える、態様２０に記載のガスタービンエンジン。
【図面の簡単な説明】
【００３２】
これ以降、添付の図面とともに本発明を説明するが、ここで、同様の番号は同様の要素を示す。
【００３３】
【図１】図１は、従来のガスタービンの側断面図である。
【００３４】
【図２】図２は、図１のようなガスタービンの多重缶燃焼器セクションの正面斜視図である。
【００３５】
【図３】図３は、図１のようなガスタービンの缶環状燃焼器セクションの正面斜視図である。
【００３６】
【図４】図４は、環状配置で複数の予混合空気燃料ノズルを有する缶燃焼器のガスタービンバーナーの一実施形態の前端概略図であり、図２および３の構成において使用可能な空気燃料パイロットバーナーを備えている。
【００３７】
【図５】図５は、環状予混合空気燃料ノズル配置を有する缶燃焼器のガスタービンバーナーの別の実施形態の前端概略図であり、図２および図３の構成で使用可能な空気燃料パイロットバーナーを備えている。
【００３８】
【図６】図６は、図４のガスタービンバーナーの実施形態の前端概略図であり、オキシ燃料パイロットバーナーを使用している。
【００３９】
【図７】図７は、図５のガスタービンバーナーの実施形態の前端概略図であり、オキシ燃料バーナーパイロットバーナーを使用している。
【００４０】
【図８】図８は、直ノズルを有するオキシ燃料パイロットバーナーの一実施形態の側断面概略図および端面図である。
【００４１】
【図９】図９は、収束ノズルを有するオキシ燃料パイロットバーナーの一実施形態の側断面概略図および端面図である。
【００４２】
【図１０】図１０は、収束発散ノズルを有するオキシ燃料パイロットバーナーの一実施形態の側断面概略図および端面図である。
【００４３】
【図１１】図１１は、図７または図８のような缶燃焼器のガスタービンバーナーの側断面概略図であり、中央オキシ燃料パイロット火炎による環状予混合空気燃料火炎の取り込みを示している。
【００４４】
【図１２】図１２は、燃焼器の上流にある熱交換器および追加の圧縮部と組み合わせたオキシ燃料パイロットバーナーとともに、ガスタービンバーナーを使用しているガスタービンの一実施形態の概略図であり、空気燃料パイロットバーナーを使用して対応する従来のガスタービンバーナーのタービン入口温度に一致させて、より高い熱効率を実現する。
【００４５】
【図１３】図１３は、入力熱交換器と組み合わせたオキシ燃料パイロットバーナーとともに、ガスタービンバーナーを使用しているガスタービンの実施形態の概略図であり、空気燃料パイロットバーナーを使用して対応する従来のガスタービンバーナーのタービン入口温度に一致させ、より高い熱効率を実現する。
【００４６】
【図１４】図１４は、本発明によるパイロットバーナーの一実施形態の概略端面図であり、二次空気用の外側スワールベーンを備えている。
【００４７】
【図１５】図１５は、ガスタービンバーナーにおいて使用するパイロットバーナーの別の実施形態の概略側断面図であり、中央導管の出口面は、パイロットバーナーのスロートの上流に配置されている（スロートを通って火炎を放出する前に部分的な予混合および点火を容易にする）。
【００４８】
【図１６】図１６は、ノズルの下流にスワールベーンを有する単一の予混合ノズルを備えたパイロットバーナーの概略端面図である。
【００４９】
【図１７】図１７は、図１６のものと同様のパイロットバーナーの概略端面図であるが、パイロットバーナーとスワールベーンとの間に別の環状部を備え、パイロットバーナーを直に取り囲んでいる環状部はスワールベーンを有しておらず、単一の空気燃料予混合フローは、外側スワール部を一部が通り、かつパイロットバーナーを直に取り囲んでいる非スワール環状部を一部が通って分離する。
【００５０】
【図１８】図１８は、図１７のガスタービン燃焼器構成により生成されたフローフィールドの概略側断面図である。
【発明を実施するための形態】
【００５１】
本明細書に説明され試験されるように、酸素は、軸流ガスタービンエンジンの燃焼器セクションにおいてガスタービンバーナーに導入され、主予混合空気燃料燃焼の燃焼安定性を向上させ、それにより動作エンベロープを拡張し、ＮＯｘ排出量の低減および熱力学的効率の増大を促進する。これは、ガスタービンバーナー内のパイロットバーナーとして特定の特徴部を有するオキシ燃料バーナーを利用することにより実現される。
【００５２】
より具体的には、オキシ燃料パイロットバーナーは、缶または缶環状ガスタービン燃焼器の軸上またはその近傍に配置されている。空気燃料パイロットバーナーをすでに利用している従来のガスタービンエンジンの改良では、空気燃料パイロットバーナーからの既存の空気環状部はそのままであってもよく、その場合、必須ではないが、オキシ燃料バーナーを取り囲んでいる空気を流すために使用できる。以降の説明では、空気環状部により取り囲まれたオキシ燃料バーナーの組み合わせは、オキシ燃料バーナーが一次バーナーとして動作する場合でも、オキシ空気燃料パイロットバーナーと呼ばれることもあり、環状の「二次」空気はパイロットバーナーおよび偶発的な燃焼酸素用の冷却フローを主に提供してもよく、同時に、必要に応じて、火炎特性に作用し、それを調整し、パイロットバーナーと燃焼器の主空気燃料ストリームとの間の混合を最適化する。例えば、燃焼器の主空気燃料ノズルがスワールベーンを備える場合、パイロットのオキシ燃料コアを取り囲んでいる環状空気は、スワールベーン、特に主空気燃料ノズルのスワールベーンと同じ方向において円周のフローを生成するスワールベーンを含んでもよい（例えば、図１４を参照）。
【００５３】
最低３０％の空気オキシ燃料バーナー内の酸素濃度を使用して、安定性の向上を実現できる。これは、例えば、オキシ燃料バーナー内の高純度酸素としてパイロット内の約１３％の複合酸化剤のフロー、および空気環状部内の（２０．９％の酸素を有する）空気としての残りの８７％を流すことにより実現できる。好ましくは、少なくとも５０％の酸素濃度レベルが使用され、オキシ燃料バーナー内の酸素としての約３８％の複合酸化剤のフロー、および環状部内の空気としての６２％を流すことに対応している。パイロットバーナーは、空気なしで動作させてもよい。
【００５４】
図６および図７はそれぞれ、ガスタービンバーナーのマルチノズルおよび環状ノズル構成と組み合わせてオキシ燃料パイロットバーナーを使用することを示す。図６では、パイロットバーナー１００は、図４の構成のように、複数の予混合ノズル１０２を有するが、ただし、中央オキシ燃料バーナー１０４が設けられている。同様に、図７では、パイロットバーナー１００は、図５の構成のように、空気環状部１１８により取り囲まれた複数の燃料噴射器１１６を備えた環状ノズル１１２を有するが、ただし、中央オキシ燃料バーナー１１４が設けられている。したがって、両方の構成において、中央に位置決めされたオキシ燃料バーナーが空気燃料パイロットバーナーの代わりに使用され、オキシ燃料火炎の本質的に強い燃焼安定性を活用する。中央に位置決めされたオキシ燃料パイロットバーナーは、この用途のために具体的に設計および動作させたとき、缶燃焼器チャンバー内の周囲の空気燃料予混合物の燃焼安定性を向上可能な火炎を生成する。これは、空気燃料パイロットバーナーを使用して実現できない缶燃焼器の有用な動作条件をもたらす。
【００５５】
ガスタービンエンジンにおいて酸素濃縮を経済的にするために、各缶燃焼器における（すなわち、各ガスタービンバーナーにおける）有効酸素濃縮レベルは、好ましくは０．５％以下であり、より好ましくは０．３％以下である。本明細書において使用される場合、酸素濃縮レベルは、複合燃焼酸化剤中の酸素分子（予混合ノズル内の空気、環状部内の二次空気、加えてオキシ燃料パイロットバーナーに供給される工業グレード酸素中の酸素分子を含む）のモル分率の増加として定義され、これは、空気中のみの酸素のモル分率を超え、例えば、９９．５％の空気および０．５％の工業グレードの酸素の複合酸化剤のフローは、約０．４％の濃縮レベルを有するであろう。加えて、オキシ燃料パイロットバーナーを通して導入される燃料は、缶燃焼器（またはガスタービンバーナー）に送出される総燃料の１０％以下であり、好ましくは総燃料の６％以下にするべきである。
【００５６】
例示的な実施形態では、以降の表１に示すように、ガスタービンバーナーは、約０．１５％の総酸素濃縮レベルにおいて動作させ、空気オキシ燃料パイロットバーナー自体は、約５５％の酸素濃度で動作させ、オキシ燃料パイロットバーナー内の高純度酸素のフローは、既存の環状部の空気に取り囲まれ、空気のフローに対する高純度酸素のフローの比率は約０．７５である（すなわち、酸化剤のフローの約４３％が酸素中にあり、酸化剤のフローの約５７％が空気中にある）。これは、オキシ燃料パイロットバーナーへの酸素流量に対応し、これは、ガスタービンバーナーへの総酸化剤流量のわずか約０．１９％、またはガスタービンバーナーへの総酸素分子流量の約０．８９％である。同時に、オキシ燃料パイロットバーナーは燃料リッチで動作させが、空気燃料予混合ノズル燃料リーン動作させるため、ガスタービンバーナー内の総燃料の約４．９％がオキシ燃料パイロットバーナーを通じて導入された。
【００５７】
マルチノズル型および環状ノズル型の両方のガスタービンバーナーを試験し、これらの試験の結果を本明細書にまとめる。
【００５８】
バーナーの説明。
【００５９】
さまざまなオキシ燃料バーナーがオキシ燃料パイロットバーナーとして機能できることが予想される。オキシ燃料パイロットバーナー４０の一実施形態は、ノズル混合（すなわち、非予混合）の同軸パイプインパイプ設計を有し、燃料Ｆは中心パイプ４２を通って流れ、酸化剤Ｏは、図８に示すように、周囲の環状パイプ４６を通って流れ、燃料は燃料ノズル４４から噴出する。好ましくは、燃料ノズル内部通路は、収束設計（図９、収束ノズル４４ａを有する）または収束分散設計（図１０、収束分散ノズル４４ｂを有する）のいずれかにおいて輪郭形成される。十分な供給圧力の場合、収束設計は、ノズルから出る燃料速度が局所的な音速に等しくなることを可能にする。同様に、十分な供給圧力の場合、収束分散設計は、ノズルから出る燃料速度が局所的な音速を超えることを可能にする。
【００６０】
音波（マッハ１、つまり音速に等しい）または超音波（マッハ１よりも速い、つまり音速よりも速い）である出口燃料速度が、２つの主要な理由のため好ましい。第１に、音速以上のノズルガス出口速度を実現するには、ノズル「スロート」（最小フロー面積）におけるフローをチョークする必要があることが知られている。適切に設計したノズルから生じるいわゆる「チョークした」フローは、缶燃焼器内からの外乱の上流伝播に対して、ノズル出口のフローの条件が影響を受けないことにより特徴付けられる。したがって、燃焼器内の圧力変動がパイロット燃料の流量に影響を及ぼす可能性はなく、それにより、全体的な燃焼器動作に対するパイロットバーナーの安定性をさらに向上させる。第２に、局所的な音速以上の出口燃料速度は、オキシ燃料パイロットバーナーから生じる噴射火炎が局所的なフローフィールド内で支配的な速度を保有することを保証する（環状部内の缶から生じる火炎の速度は亜音速である、つまり局所的な音速未満の速度である）。したがって、オキシ燃料パイロット噴射火炎の後に形成される圧力損失は、図１１に示されるように、空気燃料予混合ノズルにより生成された周囲のフローフィールドストリームラインの半径方向内向きの偏向を誘導するであろう。図１１では、矢印５２は、高速オキシ燃料パイロットバーナー火炎に対する空気燃料予混合フローフィールドの内向きの偏向を定性的に表現する。これは、オキシ燃料パイロット火炎により生成される高温、高活性の火炎ラジカルの豊富な供給と、周囲の空気燃料予混合物（および燃焼反応生成物）との間の接触を増大させ、缶燃焼器内での持続的かつ安定な燃焼に必要な連鎖反応の伝播を最終的に促進および強化する。
【００６１】
オキシ燃料パイロットバーナーを構成する際に、いくつかの考慮事項は、中央チューブまたは噴射内で燃料を流し、環状部内で酸化剤を流す選択を示した。燃料が酸素で囲まれている場合、当業者には知られている通常の拡散火炎を構成し、いわゆる逆拡散火炎（酸素が燃料に囲まれている場合）より高い固有安定性を保有する。加えて、追加の酸素の効率を最適化するために（言い換えると、所望の安定性および全体的な燃焼器効率の改善を得るために必要な酸素量を最小化するために）、オキシ燃料パイロットバーナーは燃料リッチで動作する可能性が高く、その結果、燃料流量に対する酸化剤の比率は完全燃焼に必要な化学量論的割合より低く（おそらく有意に低く）なるであろう。中央噴射の速度が火炎噴射の勢いを制御するため、中央チューブ内を流れる燃料は、中央チューブ内を流れる酸化剤より勢いのある火炎を生成することが予想される。
【００６２】
パイロットバーナー１４０の別の実施形態が図１５に示されており、そこでは、ノズルスロートを通過する前に燃料および酸素が共混合され、点火される。具体的には、第１の反応物Ｒ１（好ましくは燃料）を流す中央導管は、第２の反応物Ｒ２（好ましくは酸化剤）を流す環状導管１４６により取り囲まれ、中央導管は、中央導管１４２の出口端部を画定する中央ノズル１４４において終端する。中央導管１４２および環状導管１４６からの燃料および酸化剤は、スロート１５０を有するパイロットバーナーノズル１４８に流れ込む。重要なことに、中央導管１４２の出口端部または中央ノズル１４４は、パイロットバーナーノズル１４８のスロート１５０から上流の距離Ｌに位置決めされている。
【００６３】
適切に設計された場合、チョーク型の、高温、高速反応の噴射火炎は、パイロットバーナーノズル１４８からタービン燃焼器に内に生じる。ノズル混合実施形態の好ましい特徴部に加えて、この「部分的予混合型の」パイロットバーナー実施形態は、燃焼器外乱の上流伝播がパイロット燃料および酸素フローの両方に影響を及ぼさないようにする噴射を生成し、したがって、より高度な安定性の向上を燃焼器に提供する。その上、反応噴射は、ノズルスロートを通過する際に、１０００℃、１５００℃もしくはそれを超える「混合」または平均温度を有してもよい。音速はスロートにおける（絶対）温度の平方根に比例しているため、パイロット火炎の速度はノズル混合パイロットバーナーの中央噴射より数倍高くなる可能性がある。したがって、「部分的予混合型の」実施形態からのパイロット火炎は、そのはるかに高いスロート温度のため、ノズル混合パイロットバーナーに対してより高い反応性および勢いを保有するであろう。部分的予混合型のパイロットバーナーを使用した安全で長期的な動作は、スロートの上流で燃料および酸素を混合する方法の本質により可能になる。特に、スロートの境界と接触している反応物、燃料または酸素の一部が、スロートを通過する際、未反応のままであることが必要である（すなわち、反応物Ｒ２の一部は、導管１４６の外壁に沿って進み、未反応のままであり、ノズル１４８を冷却するであろう）。これを実現可能な方法はあまりにも多く、規定を開始することさえできないことを当業者は理解するであろう。したがって、部分的予混合型のパイロットバーナーの幾何学的形状の唯一の制限は、燃料であろうと酸素であろうと、中央反応物の出口平面がスロートの上流になければならないことである（図１５参照）。
【００６４】
燃料リッチ動作モードにおいてオキシ燃料パイロットバーナーを稼働し、炭素および／または水素を含有する高い割合の活性化学ラジカルを生成することがさらに好ましく、続いて、これは、空気燃料予混合物と好ましくは反応できる。これは、缶または缶環状部内の空気燃料予混合物が燃料リーンであり、したがって、オキシ燃料バーナー混合物内の過剰な燃料をより補完する過剰な酸素を保有するからである。
【実施例】
【００６５】
試験結果。
【００６６】
実験室試験の第１のシリーズでは、単一の予混合ノズル設計および複数の空気燃料予混合ノズル設計の両方を使用しているモデル缶燃焼器を、空気燃料予混合ノズル中にスワールベーンがある場合とない場合で試験した。使用時、スワールベーンは、予混合ノズルの軸の周りの予混合フローに対して２０°または４０°の円周スワール角度を与えるように設計した。なお、単一の予混合ノズル構成の場合、ノズル軸は各缶の軸と一致するが（図６）、複数の予混合ノズル構成では、ノズル軸はパイロットバーナー軸と一致する（図７）。これらの試験の主な目的は以下の通りであった。
【００６７】
試験を実施して、酸素濃縮の有無にかかわらず缶燃焼器の安定性限界を決定した。安定性限界は、以降の事象の１つの発生として本明細書で定義される。（ａ）圧力振動の大きな振幅および／または減衰されない増大、（ｂ）明らかに不安定な火炎脈動、（ｃ）一酸化炭素排出量の大きな振幅および／または減衰されない増大、ならびに／あるいは（ｄ）火炎噴出。
【００６８】
いったん安定性限界が決定されると、試験を実施して安定性限界におけるＮＯｘ排出量を決定した。
【００６９】
加えて、試験を実施して、安定性限界における特定のＮＯｘ排出量での動作を生成するために必要な酸素および燃料の概算の最小量を決定した。
【００７０】
予想通り、両方の種類のガスタービンバーナーが、４０°スワールベーンを装備している場合、最も広範囲の空気燃料燃焼安定性を示した。したがって、これらの結果のみを本明細書ではまとめる。その上、両方のガスタービンバーナーが定量的に同様の結果をもたらすことが決定された。しかしながら、複数の予混合ノズル構成を使用してより広範囲の試験を実施したため、これらの結果を本明細書では提示し、調査した両方のバーナー形式の代表として使用する。
【００７１】
試験は、３〜５ＭＭＢｔｕ／時間の複合燃焼速度（空気燃料予混合＋オキシ燃料）で実施した。すべての試験稼働中、燃焼器圧力はほぼ大気圧であった。燃料はパイプライン天然ガスであり、酸素は市販の高純度液体酸素（ＬＯＸ）から蒸発させた。結果の概要を表１に提示する。なお、当量比は、［（燃料流量／酸素流量）実際／（燃料流量／酸素流量）化学量論的］の比として定義され、酸素流量は、空気および高純度酸素の両方からの酸素分子の寄与を含む。実際の酸素流量は実際の燃焼条件を指すが、化学量論的酸素流量は、化学量論的燃焼を仮定した理論的条件を指す（すなわち、炭化水素燃料を水および二酸化炭素に完全に燃焼させるのに正確に十分な酸素）。さらに、酸素濃縮レベルは、複合酸化剤（空気＋酸素）のモル酸素濃度が、空気のモル酸素濃度を超える量を酸素パーセントで表現する。最後に、オキシ燃料バーナーの燃料ノズル速度は、すべての場合において、局所的な音速（マッハ１）、つまり約１０２０フィート／秒であった。オキシ燃料パイロットバーナーは典型的には、燃料リッチのＯ２：燃料モル比が１．５未満で稼働させ、ここで２．０は、酸素メタン燃焼に対するＯ２：燃料モル比であり、より典型的には、オキシ燃料パイロットバーナーは、０．６〜１．２のオキシ燃料比において動作させた。約１．２を超えるパイロットバーナーのオキシ燃料比は燃焼安定性を著しく向上させるようではなかったが、約０．６未満のものは視認可能なスス粒子を生成する傾向があり、タービン動作に問題が生じる可能性があった。
【００７２】
【表１】
2021524011.tif 000003
【００７３】
なお、表１にまとめられた試験では、オキシ燃料バーナー試験中には燃焼安定性限界に達しなかった。したがって、提示される結果は、最も低い当量比（すなわち、全体的に最も燃料リーンの燃焼条件）を表し、利用可能な機器を使用して試験中に安定な燃焼が実現されたが、安定な燃焼用の可能な最も低い当量比ではないかもしれない。
【００７４】
約１２０ｐｓｉｇの燃焼器圧力において、単一の空気燃料予混合ノズル（図１６参照）を備えたモデル缶燃焼器について試験の第２のシリーズを行った。これらの試験は、燃焼安定性の定性的および定量的特性分析を改善する高周波燃焼器圧力測定を含んでいた。第１のシリーズと同様に、非予混合型および部分的予混合型のパイロットバーナーの両方を試験し、同様の挙動が生じた。その上、燃焼器安定性の延長に対する本発明のパイロットバーナーの全体的な効果は、試験の第１のシリーズからの大気圧試験のものと同様であることが見出された。特に、同様のパイロットバーナー燃料流量（全体の約５％）および酸素濃縮レベル（約０．１５％）において、平均圧力の５％を超えるｒｍｓ圧力変動により定義される燃焼器のリーン噴出限界における当量比は、約０．５８から少なくとも０．４７に減少した。本発明のパイロットバーナーを使用した実際のリーン噴出限界には、バーナーの特性に関連していない制約のために到達しなかった。
【００７５】
本明細書において試験されない追加の缶燃焼器ノズル構成は、図１７に例示されるものである。このノズルは、３つの基本構成要素、つまり本発明による中央パイロットバーナー（任意選択的に図１４の実施形態による二次空気ストリームを含んでいる）と、パイロットバーナーの周りに空気燃料混合物の基本的に非スワール型の第１の成分を送出するように構成された第１の（内側）環状部と、スワールベーンのシリーズを通してバランスのとれた空気燃料混合物を送出するように構成された第２の（外側）環状部とを備える。このノズル設計の主な顕著な効果は、非スワール型の内側環状部を通って燃焼器に入る空気燃料混合物の第１の部分が、外側のスワール型の成分より高速、チョーク型のパイロットバーナー火炎に容易に引き込まれることである。パイロット火炎および第１の空気燃料成分の共混合およびその後の反応は、図１８に示すように、パイロット火炎の影響領域の拡大を実質的にもたらす。第１の環状部を通って燃焼器に入る空気燃料混合物の第１の成分は、好ましくはガスタービン燃焼器に入る燃料の５〜２５％を含有する。
【００７６】
実験室結果は、比較的少量の成分の酸素を活用して、燃焼器安定性の比較的大きな増大およびＮＯｘ排出量の比較的大きな減少をもたらす能力を明確に実証する。ガスタービンの設計および動作についてのこれらの実質的な効果の主な利点は、以降のとおりである。
【００７７】
（１）燃焼不安定性の他の有害な影響の中での燃焼安定性の範囲の拡大、ならびに火炎噴出および大規模な圧力振動のリスク低下。
【００７８】
（２）電力出力が電力需要の頻繁な変動の影響を受ける産業用ガスタービン用のより信頼性が高く、リスクのない負荷追従能力。
【００７９】
（３）特に、工業用に通常流通される天然ガスより有意に低い発熱量を有するガス燃料の場合の、燃料品質の変動に対するタービン動作のより大きな順応性。これは、空気燃料ガス化プロセスから生成される合成ガス状燃料を含み、最低約１５０Ｂｔｕ／ｓｃｆの発熱量を有することができる。
【００８０】
（４）従来の空気燃料駆動ガスタービンに典型的に使用されるよりも低い燃焼当量比での動作は、最新の空気燃料駆動ガスタービンにおいて現在使用中のもの（最高約２９００〜３０００°Ｆである）よりも低いタービン入口温度をもたらし、それにより、新しい装置およびサイクルの設計を可能にし、具体的には、より高い圧縮器圧力比（圧縮器入口における空気圧に対する圧縮器出口における空気圧の比）または圧縮後の熱回収のいずれかを含むものの設計を可能にし、動作モードＡおよびＢにおいて以降で説明されるように、より低いＮＯｘ排出量をもたらす。しかしながら、これらのモードの利点を理解するために、ガスタービン性能のいくつかの熱力学的原理を最初に見直すことが有用である。
【００８１】
最新のガスタービンエンジンの動作は、Ｂｒａｙｔｏｎ  Ｃｙｃｌｅに従い、それは、ａ）断熱圧縮、ｂ）定圧熱付加（燃焼器内）、ｃ）タービン内の断熱膨張、およびｄ）ガスの理想的な定圧熱除去のステップを備える。ガスタービンは実際にはサイクルでは稼働せず、むしろ安定なフロー、つまりワンスループロセスであるため、この後者のステップ、すなわちｄ）は実際には発生しないが、圧縮器に連続的に入る空気の新鮮な充填によりシミュレートされる。Ｂｒａｙｔｏｎ  Ｃｙｃｌｅに従って動作しているガスタービンのエネルギー効率は圧縮器圧力比に比例するが、電力出力はタービンエキスパンダーに入るガスの絶対温度に比例することは、当業者にはよく知られている。
【００８２】
動作モードＡ。オキシ燃料パイロットバーナーを使用して燃焼安定性の上記の改善を得ることで、ガスタービンエンジン、したがって燃焼器は、空気燃料燃焼のみで実現可能なものより有意に高い空気燃料比（すなわち、より低い当量比、より燃料リーンな動作）で動作可能になる。他のすべての因子が等しい場合、このより希薄な燃焼は、空気燃料燃焼のみで発生するものより火炎温度を低下させ、したがってタービン入口温度を低下させる。しかしながら、燃焼器入口の空気温度、したがってタービン入口温度が圧縮器圧力比とともに増加するにつれて、改善された燃焼安定性を活用する１つの有利な方式は、タービンサイクルを修正し、従来の空気燃料駆動ガスタービンにおいて使用されるより高い圧縮器圧力比において動作させ、特に、最新の空気燃料ガスタービンにおいて使用される動作温度限界レベルまたはそれに近いレベルにタービン入口温度を戻す圧縮器圧力比において動作させることである。一実施形態では、少なくとも３３：１の圧縮器圧力比を使用することができる（表２参照）。より一般的には、圧縮器圧力比の増加は、本明細書において説明されるようなオキシ燃料パイロットバーナーの使用により与えられる燃焼空気燃料比において増加関数となるであろう。
【００８３】
動作モードＢ。オキシ燃料パイロットバーナーを使用することは、圧縮後の熱回収を可能にし、最新の空気燃料ガスタービンにおいて使用されるレベルまでタービン入口温度を増大させる。この概念の一実施形態は、図１２に示すように、圧縮器の下流および燃焼器の上流に配置された一次熱交換器と、タービン（エキスパンダー）の下流に配置された二次熱交換器とを使用する。２つの熱交換器は、空気、水、Ｎ２、ＣＯ２、または適切な熱力学的特性を備えた任意の他の熱伝達流体などの熱伝達流体を介して互いにエネルギー的に連絡し、熱伝達流体は、二次熱交換器内のタービン排気ガスから熱エネルギーを回収し、一次熱交換器を介して圧縮空気に前記熱エネルギーを送出する。空気温度の圧縮後／燃焼器前の上昇を発生させるように構成可能な多数の他の実施形態があることも理解されるべきである。一般に、これらは、温度Ｔ１を有する熱伝達流体を流す一次熱交換器により（すでに説明したように）広く分類され、温度Ｔ１は圧縮器空気出口温度より高い。熱伝達流体は、タービン排気ストリームに接続されていない手段により温度Ｔ１まで加熱してもよく、熱交換器内では、その熱エネルギーを圧縮空気に伝達する。例えば、図１３参照。そのような手段の例は、隣接する炉内プロセスからの廃熱、および空気または他の適切な酸化剤を使用した廃燃料の直接燃焼からの燃焼生成物を含む。なお、図１２および図１３の両方に示される圧縮器およびタービンは、必ずしも共通のシャフトを使用して動作するわけではない。
【００８４】
また、オキシ燃料パイロットバーナーを使用することは、従来の空気燃料駆動ガスタービンにおいて実現可能なものよりも低いＮＯｘ排出量を可能にする。
【００８５】
【表２】
2021524011.tif 000004
【００８６】
公称１８０ＭＷまでの正味電力出力に値する既存の産業用ガスタービン発電機に関連する設計および動作データでプログラムされた市販のＡＳＰＥＮソフトウェアを使用して計算を行い、例えば、上記の動作モードＡおよびＢにおいて提案された新規設計および動作モードにより可能な熱効率の改善を推定した。表２にまとめられた計算の結果は、モードＡの場合、基準空気燃料動作より熱効率の約１０％の（相対的）増加、およびモードＢの基準空気燃料動作より熱効率の１７％の（相対的）増加を示している。
【００８７】
なお、表２に規定される当量比は、試験中に得られ、表１に提示されたものと大きさが異なり、具体的には、表２に列挙された当量比は、表１のそれぞれの経験的な空気燃料当量比およびオキシ燃料当量比よりも高く、より低い燃焼空気燃料比を示している。これは、実験室試験を完了する前にモデル計算が行われたためである。経験的に得られた空気燃料当量比とオキシ燃料当量比との間には、モデルにおいて想定されるものより実質的に大きな相違があるため、オキシ燃料の場合に計算された効率利得は、モデル計算が入力として経験的当量比を使用した場合になるものよりも低いと仮定することが妥当である。
【００８８】
本発明は、それらの例において開示された特定の態様または実施形態により範囲を限定されるものではなく、それらは本発明のいくつかの態様の例示として意図され、機能的に等価である任意の実施形態は、本発明の範囲内にある。本明細書に示され、説明されるものに加えて、本発明のさまざまな修正が、当業者には明らかになり、添付の請求項の範囲内にあることと意図される。
【図１】
2021524011.tif 000005
【図２】
2021524011.tif 000006
【図３】
2021524011.tif 000007
【図４】
2021524011.tif 000008
【図５】
2021524011.tif 000009
【図６】
2021524011.tif 000010
【図７】
2021524011.tif 000011
【図８】
2021524011.tif 000012
【図９】
2021524011.tif 000013
【図１０】
2021524011.tif 000014
【図１１】
2021524011.tif 000015
【図１２】
2021524011.tif 000016
【図１３】
2021524011.tif 000017
【図１４】
2021524011.tif 000018
【図１５】
2021524011.tif 000019
【図１６】
2021524011.tif 000020
【図１７】
2021524011.tif 000021
【図１８】
2021524011.tif 000022
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
燃焼器の上流にある圧縮器、および前記燃焼器の下流にあるタービンを含むガスタービンエンジン用の燃焼器であって、
燃焼器チャンバーと、
前記燃焼器チャンバーの端部において中央に位置決めされたオキシ燃料パイロットバーナーと、
空気および燃料を少なくとも部分的に予混合するように構成された空気燃料予混合バーナーであって、環状構成で前記オキシ燃料パイロットバーナーを取り囲んでいる空気燃料予混合バーナーと、を備える、燃焼器。
【請求項２】
前記オキシ燃料パイロットバーナーは、
スロートを有するパイロットバーナーノズルと、
第１の反応物を流すように構成された中央ノズルであって、前記スロートの上流に配置された出口端部を有する、中央ノズルと、
第２の反応物を流すように構成された環状ノズルと、を備え、
前記第１および第２の反応物の一方は燃料であり、前記第１および第２の反応物の他方は酸化剤である、請求項１に記載の燃焼器。
【請求項３】
前記パイロットバーナーノズルは、前記スロートにおいて終端する収束ノズルであり、前記局所的な音速においてオキシ燃料火炎を放出するように構成されている、請求項３または請求項２に記載の燃焼器。
【請求項４】
前記パイロットバーナーノズルは、前記局所的な音速よりも速くオキシ燃料火炎を放出するように構成された収束発散ノズルである、請求項２に記載の燃焼器。
【請求項５】
前記空気燃料予混合バーナーは、環状構成で複数の空気燃料予混合ノズルを備える、請求項１に記載の燃焼器。
【請求項６】
前記空気燃料予混合バーナーは、空気環状部により取り囲まれた複数の燃料噴射器を備える、請求項１に記載の燃焼器。
【請求項７】
ガスタービンエンジンであって、
前記ガスタービンエンジンに引き込まれた空気を圧縮する空気圧縮器と、
前記空気圧縮器の下流に位置決めされ、前記空気圧縮器により提供された圧縮空気とともに燃料を燃焼し、高圧燃焼ガスを生成するように構成された、請求項１〜６のいずれか一項に記載の燃焼器と、
前記圧縮器と前記燃焼器との間に位置決めされ、前記圧縮器により提供された前記圧縮空気に熱を供給するように構成された一次熱交換器と、
熱源と、
前記一次熱交換器と前記熱源との間で熱伝達流体を運び、前記圧縮空気が前記燃焼器に入る前に前記熱源から前記圧縮空気に熱を伝達する熱伝達流体ループと、を備える、ガスタービンエンジン。
【請求項８】
前記熱源は、前記タービンの下流に位置決めされ、タービン排気ガスから熱を抽出するように構成された二次熱交換器であり、
前記熱伝達流体ループは、前記一次熱交換器と前記二次熱交換器との間で熱伝達流体を運び、前記圧縮空気が前記燃焼器に入る前に、前記タービン排気ガスストリームから前記圧縮空気に熱を伝達するように構成されている、請求項７に記載のガスタービンエンジン。
【請求項９】
前記熱源は、炉内プロセスまたは燃焼プロセスからの廃熱源を含む、請求項７または８に記載のガスタービンエンジン。
【請求項１０】
請求項１〜６のいずれか一項に記載の前記燃焼器を動作させる方法であって、以下の工程、
空気および燃料を、当量比で、前記空気および前記燃料を少なくとも部分的に予混合するように構成された燃焼器内の空気燃料予混合バーナーへと供給すること、
前記予混合バーナー内で空気燃料燃焼を開始させること、
前記空気のフローおよび前記燃料のフローの一方または両方を、前記予混合バーナー中で約０．５以上の当量比を得るように調整すること、
前記燃焼器の前記燃焼チャンバーの中央に配置され、そして前記予混合バーナーによって取り囲まれた前記オキシ燃料パイロットバーナーに燃料および酸素を流すことによって、パイロット火炎を起こすこと、ならびに、
前記空気のフローおよび前記燃料のフローの一方または両方を、前記燃焼器中で約０．５未満の総括当量比を得るように調整すること、
を含む、方法。
【請求項１１】
化学量論的燃焼に必要なものの３０％〜６０％の酸素対燃料モル比において、前記オキシ燃料パイロットバーナーを動作させることをさらに含む、請求項１０に記載の方法。
【請求項１２】
前記オキシ燃料パイロットバーナーに流れる前記燃料、および前記空気燃料予混合バーナーに流れる前記燃料の合計として、前記燃焼器への総燃料フローを計算することと、
前記オキシ燃料パイロットバーナーに流れる前記燃料が、前記燃焼器への総燃料フローの１０％以下となるように、前記オキシ燃料パイロットバーナーに流れる前記燃料、および前記空気燃料予混合バーナーに流れる前記燃料のうちの１つ以上を制御することと、をさらに含む、請求項１０または１１に記載の方法。
【請求項１３】
前記オキシ燃料パイロットバーナーに流れる前記燃料が、前記燃焼器への前記総燃料フローの６％以下となるように、前記オキシ燃料パイロットバーナーに流れる前記燃料、および前記空気燃料予混合バーナーに流れる前記燃料のうちの１つ以上を制御すること、をさらに含む、請求項１０〜１２のいずれか一項に記載の方法。
【請求項１４】
酸素濃縮レベルが０．５％未満であるように制御することをさらに含む、請求項１０〜１３のいずれか一項に記載の方法。
【請求項１５】
酸素濃縮レベルが０．３％未満であるように制御することをさらに含む、請求項１０〜１４のいずれか一項に記載の方法。
【請求項１６】
前記パイロットバーナーが、局所的な音速に等しい第１の速度を有する火炎を生成させるように構成された、請求項１０〜１５のいずれか一項に記載の方法。
【請求項１７】
前記空気燃料予混合バーナーが、前記第１の速度よりも小さい第２の速度を有する火炎を生成させるように構成された、請求項１０〜１６のいずれか一項に記載の方法。
【国際調査報告】
2021524011.tif 000023
2021524011.tif 000024
2021524011.tif 000025